(57)【要約】【課題】  従来のカットコーム図４の形状は、ヘアカット作業時に櫛目３の幅に違う数種類のカットコーム図４を用いる必要があり、習熟度による作業時間、作業精度の差が生じ易く、毛髪、および頭皮に過度な負荷をかけやすかった。【解決手段】  歯先が１−直線のカットコーム図２と、歯先１が頭部に近い曲線状のカットコーム図３とを組み合わせ一体形状にさせる。【選択図】図１
0003124335.tif 000002
【実用新案登録請求の範囲】
【請求項１】
歯先が一直線に揃ったカットコーム図２と、歯先が頭部に近い曲線状のカットコーム図３とを組み合わせ一体形状としたことを特徴とするカットコーム図１。
【考案の詳細な説明】
【技術分野】
【０００１】  本考案はヘアカットに用いるカットコームに関する。
【背景技術】
【０００２】  従来のカットコーム図４を用いたヘアカット技法には、スタンダードのヘアカット技法とデザインヘアーカット技法がある。スタンダードのヘアカット技法は、比較的長さが短い毛髪を切る技法で、カットコーム図４をガイドにしてカットコーム図４から出た毛髪を切る場合に用いられることが多い。また、デザインヘアーカット技法は、カットコーム図４で毛束を取り出し、左手で毛髪を支えカットする技法である。つまり、目的に合えばどちらのカット技法を用いても構わない。【０００３】  従来のカットコーム図４の各部分の役割は、歯先２が最初に皮膚に接する部分で毛を起こす役割をする。櫛歯１は起こされた毛髪を支える役割をする。歯元４は、櫛目３に入った毛髪を一直線にそろえ支える役割をする。櫛目３は毛髪を入れ揃える役割をする。そして、従来のカットコーム図４には櫛目３の幅が広いものから狭いものまで数種類ある。
【考案の開示】
【考案が解決しようとする課題】
【０００４】  しかしながら、以上の技術によれば、従来の癖直しは、櫛目３の幅が広いカットコーム図４でコームスルーを行い毛髪の櫛通りを良くした後に、櫛目３の幅が狭いカットコーム図４で毛髪を揃えていた為、櫛目３の幅の違う数種類のカットコーム図４を用いる必要がある。また、最初から櫛目３の幅の狭いカットコーム図４だけで癖直しを行うと、櫛通りが悪い為、毛髪に過度のテンションをかけながらコームスルーを行うことになり、毛髪、頭皮に過度な負荷がかかる。【０００５】  また、セクション取りは、最初に櫛目３の幅の広いカットコーム図４で毛髪をすくい上げ、次に毛髪を手に取り、最後に櫛目３の幅の狭いカットコーム図４に持ち替え毛髪の根元からシェーピングを行う。実作業では幾度となくセクション取りを行う為、常に一定量の毛髪をすくい上げる行為は習熟度により作業精度に差が生じやすく、シェーピングを行う際にカットコームを持ち替える行為は習熟度により作業時間に差が生じやすい。【０００６】  また、すくい刈り、連続刈り、押し刈り、固定刈り、回し刈りなどはカットコーム図４をガイドにして、カットコーム図４から出た毛髪をカットする。カットし始めは、カットの必要な毛髪が多い為、カットコー図４は櫛目３の幅の広いものを使う。カット作業が進むにつれ、カットの必要な毛髪が少なくなるので、徐々に櫛目  ３の幅の狭いカットコーム図４に持ち替えながら仕上げ作業まで行なう。つまり、櫛目  ３の幅の広いカットコーム図４から櫛目３の幅の狭いカットコーム図４へ持ち替えて仕上げていく為、仕上げるまでには櫛目３の幅に違う数種類のカットコーム図４を用いる必要がある。【０００７】  そこで、本考案は、櫛目３の幅に違う数種類のカットコーム図４を用いることなく、習熟度による作業時間、作業精度の差が生じにくく、毛髪、および頭皮に過度な負荷がかからないカットコームを提供することを課題とする。
【課題を解決するための手段】
【０００８】  以上の課題を解決するために本考案は図２と図３の形状を組み合わせた一体形状であることを特徴としたカットコームである。
【考案の効果】
【０００９】  本考案である図１を用い癖直しを行うと、表面側の毛髪は図２を用い従来のカットコーム図４でのコームスルーと同等の効果を得ることができる。また、根元付近の毛髪は図３を用い櫛目３の幅の広い従来のカットコーム図４でのコームスルーと同等の効果を得ることができる。つまり、従来の櫛目３の幅の広いカットコーム図４でコームスルーした後、櫛目３の幅の狭いカットコーム図４に持ち替えてコームスルーする行為を、本考案図１は１運行のコームスルーで行うことができる。また、従来のカットコーム図４に比べ毛髪にテンションがかからず櫛通りが良い為、負荷がかかりづらく、毛髪、頭皮を痛めにくい。【００１０】  本考案である図１を用いセクション取りを行なうと、図３の歯先２のラインを目安にすることで習熟度に関係なく一定量の毛髪を図２の櫛歯１にのせ、すくいあげることができる。次に毛髪を手に取り、最後にカットコームを持ち替えることなく毛髪の根元からシェーピングを行なうことができる為、従来のカットコーム図４で生じた習熟度による、作業時間、作業精度の差を縮めることができる。【００１１】  本考案である図１は櫛目３の幅が広い櫛歯１と櫛目３の幅が狭い櫛歯１を兼ね備えている為、すくい刈り、連続刈り、押し刈り、固定刈り、回し刈りなどのカットコームをガイドにして、カットコームから出た毛髪のカットを行なう場合、切り始めから仕上げまでカットコームを持ち替えることなく本考案１本のみで作業が行なえる。また、カットの必要が無いガイドに沿った長さ程度の毛髪は、櫛目３の幅が狭い櫛歯１にのることなく速やかにすり抜け、カットが必要な毛髪が残る為に必要な毛髪だけをカットコーム図１に残すことができる。
【考案を実施するための最良の形態】
【００１２】  本考案の一実施形態を図１に示す。
歯先２が一直線のカットコーム図２と、歯先２が頭部に近い曲線状のカットコーム図３とを組み合わせた一体形状のカットコームである。
【実施例】
【００１３】  櫛目３の幅に違う従来の数種類のカットコーム図４と同じ使用法
【図面の簡単な説明】
【００１４】
【図１】  本考案に関わる正面図である。
【図２】  歯先が一直線に揃ったカットコーム拡大図である。
【図３】  歯先が頭部に近い曲線状のカットコーム拡大図である。
【図４】  従来のカットコーム正面図である。
【符号の説明】
【００１５】        １・・・櫛歯
２・・・歯先
３・・・櫛目
４・・・歯元
【図１】
0003124335.tif 000003
【図２】
0003124335.tif 000004
【図３】
0003124335.tif 000005
【図４】
0003124335.tif 000006
【手続補正書】
【提出日】平成18年5月11日(2006.5.11)
【手続補正１】
【補正対象書類名】実用新案登録請求の範囲
【補正対象項目名】全文
【補正方法】変更
【補正の内容】
【実用新案登録請求の範囲】
【請求項１】
カットコームの櫛歯において、櫛目の幅が広い荒歯部と櫛目の幅が狭い密歯部とをそれぞれ一範囲とし、従来のカットコームと同等に歯先のラインが一直線になるよう長さが等しい複数本の櫛歯と、歯先のラインが頭部の丸みに近い曲線で凹状に湾曲するよう長さを変えた複数本の櫛歯を、前記範囲内において、一本ずつ交互に配列させたことを特徴とするカットコーム。
【手続補正２】
【補正対象書類名】明細書
【補正対象項目名】０００４
【補正方法】変更
【補正の内容】
【０００４】  しかしながら、以上の技術によれば、従来の癖直しは、櫛目３の幅が広いカットコーム図４でコームスルーを行い毛髪の櫛通りを良くした後に、前記カットコームとは別の櫛目３の幅が狭いカットコーム図４で毛髪を揃えるため、櫛目３の幅が異なる数種類のカットコーム図４を用いる必要がある。また、最初から櫛目３の幅が狭いカットコーム図４で癖直しを行うと、櫛通りが悪いため、毛髪に過度のテンションをかけながらコームスルーを行うこととなり、毛髪及び頭皮に過度の負荷がかかる。
【手続補正３】
【補正対象書類名】明細書
【補正対象項目名】０００５
【補正方法】変更
【補正の内容】
【０００５】  セクション取りは、最初に櫛目３の幅が広いカットコーム図４で毛髪をすくい上げ、次に毛髪を手に取り、最後に前記カットコームとは別の櫛目３の幅が狭いカットコーム図４に持ち替え、毛髪の根元からシェーピングを行う。実作業では幾度となくセクション取りを行うため、常に一定量の毛髪をすくい上げる行為は習熟度により作業精度に差が生じやすく、シェーピングを行う際にカットコームを持ち替える行為は、習熟度により作業時間に差が生じやすい。
【手続補正４】
【補正対象書類名】明細書
【補正対象項目名】０００６
【補正方法】変更
【補正の内容】
【０００６】  また、すくい刈り、連続刈り、押し刈り、固定刈り、回し刈りなどはカットコーム図４をガイドにして、カットコーム図４から出た毛髪をカットする。カットし始めは、カットの必要な毛髪が多いため、カットコーム図４は櫛目３の幅が広いものを使う。カット作業が進むにつれ、カットの必要な毛髪が少なくなるので、徐々に櫛目３の幅が狭いカットコーム図４に持ち替えながら仕上げ作業まで行なう。つまり、櫛目３の幅が広いカットコーム図４から櫛目３の幅が狭いカットコーム図４へ持ち替えて仕上げていくため、仕上げるまでには櫛目３の幅が異なる数種類のカットコーム図４を用いる必要がある。
【手続補正５】
【補正対象書類名】明細書
【補正対象項目名】０００７
【補正方法】変更
【補正の内容】
【０００７】  そこで本考案は、癖直し、カット作業時、セクション取りを行なう際に、櫛目３の幅が異なる数種類のカットコーム図４を用いることなく、また、習熟度による作業時間、作業精度の差が生じにくく、さらに、毛髪および頭皮に過度の負荷がかからないカットコームを提供することを課題とする。
【手続補正６】
【補正対象書類名】明細書
【補正対象項目名】０００８
【補正方法】変更
【補正の内容】
【０００８】  以上の課題を解決するため本考案は、カットコームの櫛歯１において、櫛目３の幅が広い荒歯部１ａと櫛目の幅が狭い密歯部１ｂとをそれぞれ一範囲とし、従来のカットコームと同等に歯先２のラインが一直線になるよう長さが等しい複数本の櫛歯図２と、歯先２のラインが頭部の丸みに近い曲線で凹状に湾曲するよう長さを変えた複数本の櫛歯図３を、前記範囲内において、一本ずつ交互に配列させたことを特徴とする。
【手続補正７】
【補正対象書類名】明細書
【補正対象項目名】０００９
【補正方法】変更
【補正の内容】
【０００９】  本考案である図１を用いて癖直しを行なうと、毛髪は最初に、図１の櫛目３ａの幅の櫛歯１で拾われコームスルーされ、次に図１の櫛目３の幅の櫛歯１で拾われコームスルーされる。つまり、従来の癖直しの際に行なわれていた櫛目３の幅が異なる複数本のカットコーム図４を用い、櫛目３の幅の広いカットコーム図４でコームスルーを行なった後、徐々に櫛目３の幅の狭いカットコーム図４に持ち替えコームスルーするという行為を、本考案は一本で、かつ一運行の中で行なうことができる。
【手続補正８】
【補正対象書類名】明細書
【補正対象項目名】００１１
【補正方法】変更
【補正の内容】
【００１１】  本考案である図１を用いて、すくい刈り、連続刈り、押し刈り、固定刈り、回し刈りなどの、カットコームをガイドにして、カットコームから出た毛髪のカットを行うと、櫛目３ａ部分がカットし始めの荒刈りに適しており、櫛目３部分はカットの仕上げ刈りに適しているため、カットし始めは櫛目３ａ部分をガイドにカットコームから出た毛髪の荒刈りを行い、その荒刈りを行なった毛髪は次に櫛目３部分に行き、櫛目３をガイドに仕上げ刈りされるので、一運行の中で荒刈りから仕上げ刈りまでを連続して行なうことができる。つまり、従来、櫛目３の幅が異なる数種類のカットコーム図４を用いる必要があったカット作業が、本考案一本で行うことができる。
【手続補正９】
【補正対象書類名】明細書
【補正対象項目名】００１２
【補正方法】変更
【補正の内容】
【００１２】  本考案の一実施形態を図１に示す。
カットコームの櫛歯１において、櫛目３の幅が広い荒歯部１ａと櫛目の幅が狭い密歯部１ｂとをそれぞれ一範囲とし、従来のカットコームと同等に歯先２のラインが一直線になるよう長さが等しい複数本の櫛歯図２と、歯先２のラインが頭部の丸みに近い曲線で凹状に湾曲するよう長さを変えた複数本の櫛歯図３を、前記範囲内において、一本ずつ交互に配列させたことを特徴とするカットコームである。
【手続補正１０】
【補正対象書類名】明細書
【補正対象項目名】００１３
【補正方法】変更
【補正の内容】
【００１３】  櫛目３の幅が違う従来の数種類のカットコーム図４と同じ使用法。
【手続補正１１】
【補正対象書類名】明細書
【補正対象項目名】００１４
【補正方法】変更
【補正の内容】
【００１４】
【図１】  本考案に関わる正面図である。
【図２】  従来のカットコームと同等に歯先のラインが一直線になるよう長さが等しい複数本の櫛歯拡大図である。
【図３】  歯先のラインが頭部の丸みに近い曲線で凹状に湾曲するよう長さを変えた複数本の櫛歯拡大図である。
【図４】  従来のカットコーム正面図である。
【手続補正１２】
【補正対象書類名】図面
【補正対象項目名】全図
【補正方法】変更
【補正の内容】
【図１】
0003124335.tif 000007
【図２】
0003124335.tif 000008
【図３】
0003124335.tif 000009
【図４】
0003124335.tif 000010